(57)【要約】【課題】電池ケースの外部から内部への水分浸入および該ケースの内部から外部への非水電解液の漏れを抑制し、あわせて、電池ケースの内圧上昇による電流遮断機構およびガス排出弁の誤作動防止を実現する非水電解液二次電池を提供する。【解決手段】ここで開示される非水電解液二次電池のガスケット５００は、蓋体２２の内面に密接するように配置され、合成樹脂によって形成されている第１ガスケット５１０と、第１ガスケット５１０と第二リード部４２４との間に配置され、第１ガスケット５１０よりもガス透過係数が高い弾性樹脂によって形成されている第２ガスケット５２０とを備えている。そして、第２ガスケットの挿通孔５２２の径が第１ガスケットの挿通孔５１２の径よりも大きく、第１ガスケット５１０と第二リード部４２４との間に第２ガスケットの挿通孔の側壁５２４に隣接する空隙Ａが形成されている。【選択図】図３
2018181544.tif 000002
【特許請求の範囲】
【請求項１】
開口部を有する電池ケース本体と、該開口部を塞ぐ蓋体と、該蓋体の外面側に設けられた外部接続用の接続端子とを備える電池ケースと、
前記電池ケースの内部に収容される電極体と、
一端が前記電池ケースの内部において前記電極体と電気的に接続されており、他端が前記蓋体に設けられた挿通孔を介して前記接続端子と電気的に接続される集電端子と、
前記集電端子を挿通させる挿通孔が設けられており、前記電池ケースの内部において前記蓋体と前記集電端子との間に挟持され、該蓋体と集電端子との間を封止するガスケットと、
を備える非水電解液二次電池であって、
前記ガスケットは、
前記蓋体の内面に密接するように配置され、合成樹脂によって形成されている第１ガスケットと、
前記第１ガスケットと前記集電端子との間に配置され、前記第１ガスケットよりもガス透過係数が高い弾性樹脂によって形成されている第２ガスケットと
を備えており、
前記第２ガスケットの挿通孔の径が前記第１ガスケットの挿通孔の径よりも大きく、前記第１ガスケットと前記集電端子との間に前記第２ガスケットの挿通孔の側壁に隣接する空隙が形成されていることを特徴とする非水電解液二次電池。
【発明の詳細な説明】
【技術分野】
【０００１】
本発明は、非水電解液二次電池に関する。
【背景技術】
【０００２】
リチウムイオン二次電池、ナトリウムイオン二次電池その他の非水電解液二次電池は、車両搭載用電源あるいはパソコンや携帯端末等の電源として重要性が高まっている。特に、軽量で高エネルギー密度が得られるリチウムイオン二次電池は、車両搭載用高出力電源として好ましく用いられている。
【０００３】
かかる非水電解液二次電池は、例えば、電池ケース本体および蓋体が溶接された電池ケースと、この電池ケース内に収容された電極体と、この電極体と電気的に接続された集電端子（正極集電端子および負極集電端子）と、上記蓋体の外面（電池ケースの外側の面をいう。以下同じ。）に設けられた外部接続用の端子（正極端子および負極端子）とを備えている。この非水電解液二次電池では、上記蓋体に貫通形成された挿通孔を介して上記正負極集電端子と上記正負極端子とが電気的に接続されている。
また、上記挿通孔の周縁は、電池ケースの内側において上記蓋体と集電端子との間に絶縁性のガスケットを挟持して密着させることにより、封止（シーリング）するとともに電池ケースと集電端子との絶縁が行われている。
【０００４】
上記ガスケットとして、例えば特許文献１に記載のものが知られている。特許文献１に記載のガスケット（特許文献１の図２）は、正極端子部材（特許文献１の図１）と電池ケース蓋の内面側との間に挟持される絶縁介在部を有する。絶縁介在部は合成樹脂からなり、結晶化度が絶縁介在部以外の部分（挿入部および絶縁側壁部）の結晶化度よりも高い。かかるガスケットは、絶縁介在部の密度が高いため、電解液を構成する分子が絶縁介在部を透過し難いので、電解液がガスケットの内部を通って電池の外部へ漏れ出るおそれがない。
【先行技術文献】
【特許文献】
【０００５】
【特許文献１】特開２０１４−０２９８３９号公報
【発明の概要】
【発明が解決しようとする課題】
【０００６】
ところで、電解液が非水系溶媒で構成される非水電解液二次電池は、充放電や過充電あるいは高温下の保存などにより、二酸化炭素（ＣＯ２）等のガスが電池ケースの内部で発生する場合がある。また、電池内部に水分が浸入し、電池特性が劣化して上記のようなガスが発生することもある。
そこで、非水電解液二次電池では、電池ケースの内部で発生したガスを電池ケースの外部に排出するためのガス排出弁が蓋体に設けられている。また、非水電解液二次電池では、電池が過充電状態になったときに当該電池の電流通路を遮断する圧力作動型の電流遮断機構（ＣＩＤ：Current Interrupt Device）が備えられている。また、非水電解液に所定の電池電圧を超えた際に分解してガス（例えばＣＯ２ガス）を発生し得るガス発生剤を含むリチウムイオン二次電池がある。ガス発生剤は、電池が過充電状態になったときに分解されて所定の種のガスを発生する。そして、そのガス圧により、電池ケース内の内圧が上昇し、その圧力上昇を検知した電流遮断機構が作動するように構成されている。
【０００７】
しかし、蓋体と集電端子との間に介在されたガスケットの密度が過剰に高いと、一酸化炭素（ＣＯ）や二酸化炭素（ＣＯ２）等のガスの電池外部への透過が抑制され、電池内圧が上昇し易くなるため、電流遮断機構および／またはガス排出弁が想定外に早く作動してしまう等の誤作動が起こり得る。また、逆に、ガスケットの密度が低くなりすぎると、電池ケースの外部から電池ケースの内部に浸入する水分量の増加が起こり得るため、好ましくない。
【０００８】
そこで、本発明は、上記諸課題を解決するべく創出されたものであり、電池ケース外部からケース内部への水分の浸入を抑制することと、電池ケースの内圧上昇による電流遮断機構およびガス排出弁の誤作動防止とを両立することができる非水電解液二次電池を提供することを目的とする。
【課題を解決するための手段】
【０００９】
上記目的を実現するべく、本発明は、
開口部を有する電池ケース本体と、該開口部を塞ぐ蓋体と、該蓋体の外面側に設けられた外部接続用の接続端子とを備える電池ケースと、
電池ケースの内部に収容される電極体と、
一端が電池ケースの内部において電極体と電気的に接続されており、他端が蓋体に設けられた挿通孔を介して接続端子と電気的に接続される集電端子と、
集電端子を挿通させる挿通孔が設けられており、電池ケースの内部において蓋体と集電端子との間に挟持され、該蓋体と集電端子との間を封止するガスケットとを備える非水電解液二次電池を提供する。
そして、ここで開示される非水電解液二次電池のガスケットは、
蓋体の内面に密接するように配置され、合成樹脂によって形成されている第１ガスケットと、
第１ガスケットと集電端子との間に配置され、第１ガスケットよりもガス透過係数が高い弾性樹脂によって形成されている第２ガスケットと
を備えており、
第２ガスケットの挿通孔の径が第１ガスケットの挿通孔の径よりも大きく、第１ガスケットと集電端子との間に第２ガスケットの挿通孔の側壁に隣接する空隙が形成されていることを特徴とする。
【００１０】
ここで開示される非水電解液二次電池では、ガスケットが第１ガスケットと第２ガスケットの２つに分割されており、当該第２ガスケットは、第１ガスケットを比較して相対的にガス透過係数が高い弾性樹脂によって形成されている。そして、第２ガスケットは、第１ガスケットよりも大きな挿通孔を有しており、第１ガスケットと集電端子との間に配置されている。これによって、第１ガスケットと集電端子との間に、第２ガスケットの挿通孔の側壁に隣接する空隙が形成されている。
かかる構造を有した非水電解液二次電池において、電池ケース内で発生したガスは、先ず、ガス透過係数が高い第２ガスケットに透過した後、当該第２ガスケットに隣接した空隙を通過し、その後、電池ケース外に排出される。すなわち、ここで開示される非水電解液二次電池では、ガス透過係数が高い弾性樹脂によって形成された第２ガスケットと、空隙とを通過するガス排出経路が形成されている。このため、電池ケース内で発生したガスを外部に好適に排出し、電池ケースの内圧上昇による電流遮断機構およびガス排出弁の誤作動を防止することができる。
【００１１】
一方、電池ケース内のガスを好適に排出させるために上記したようなガス透過性に優れたガス排出経路を形成すると、当該ガス排出経路を通って電池ケースの外部から内部に水分が浸入し易くなる。しかし、ここで開示される非水電解液二次電池では、水分が浸入し易い高温高湿環境に電池が晒された場合に、上記ガス排出経路を遮断して、ケース内に水分が浸入することを防止できる。
具体的には、ここで開示される非水電解液二次電池では、外部から水分が浸入し易い高温高湿環境に晒された際に合成樹脂製の第１ガスケットが膨張する。このとき、弾性樹脂製の第２ガスケットが圧縮され、第１ガスケットと集電端子とが近接するため、ガス排出経路を構成する空隙が小さくなる。これによって、第２ガスケットと空隙によって形成されるガス排出経路が第１ガスケットによって遮断され、外部から電池ケース内に水分が浸入することを抑制できる。
【図面の簡単な説明】
【００１２】
【図１】ここで開示される非水電解液二次電池の一実施形態であるリチウムイオン二次電池の外形を模式的に示す部分断面図である。
【図２】図１に示すリチウムイオン二次電池に備えられた蓋体および集電端子を示す分解斜視図である。
【図３】図１に示すリチウムイオン二次電池の正極側の絶縁構造を模式的に示す断面図である。
【図４】リチウムイオン二次電池が高温高湿環境に晒された場合の図３に示す正極側の絶縁構造を模式的に示す断面図である。
【図５】試験例１〜試験例３の水分浸入量の測定結果を示すグラフである。
【図６】試験例１〜試験例３のガス排出量の測定結果を示すグラフである。
【図７】試験例２および試験例３のリチウムイオン二次電池の正極側の絶縁構造を模式的に示す断面図である。
【発明を実施するための形態】
【００１３】
以下、図面を参照しながら、本発明による実施の形態を説明する。なお、本明細書において特に言及している事項以外の事柄であって本発明の実施に必要な事柄（例えば、本発明を特徴付けない電池の一般的な構成および製造プロセス）は、当該分野における従来技術に基づく当業者の設計事項として把握され得る。本発明は、本明細書に開示されている内容と当該分野における技術常識とに基づいて実施することができる。また、各図面においては、同じ作用を奏する部材・部位には同じ符号を付している。また、各図における寸法関係（長さ、幅、厚さ等）は実際の寸法関係を反映するものではない。
【００１４】
本明細書において「二次電池」とは、繰り返し充放電可能な蓄電デバイス一般をいい、リチウムイオン二次電池等のいわゆる蓄電池ならびに電気二重層キャパシタ等の蓄電素子を包含する用語である。また、「非水電解液二次電池」とは、非水電解液（即ち、非水溶媒中に支持電解質を含む電解液）を備えた二次電池をいう。また、「リチウムイオン二次電池」とは、電荷担体としてリチウムイオンを利用し、正負極間のリチウムイオンの移動により充放電が行われる二次電池をいう。
以下、扁平角型のリチウムイオン二次電池を例にして、本発明について詳細に説明する。なお、以下で説明する実施形態は、本発明をかかる実施形態に記載されたものに限定することを意図したものではない。
【００１５】
図１は、本実施形態に係るリチウムイオン二次電池の外形を模式的に示す部分断面図であり、図２は、図１に示すリチウムイオン二次電池に備えられた蓋体および集電端子を示す分解斜視図である。図３は、図１に示すリチウムイオン二次電池の正極側の絶縁構造を模式的に示す断面図である。なお、以下の説明では、リチウムイオン二次電池を単に電池という場合もある。
【００１６】
本実施形態に係るリチウムイオン二次電池１０は、電池ケース２０に、所定の電池構成材料を具備する捲回電極体３０が適当な非水電解液とともに収容された構成を有する。本実施形態では、リチウムイオン二次電池１０は角型電池であるが、電池の形状は角型に限定されず、円柱形状等であってもよい。
【００１７】
電池ケース２０は、扁平かつ有底の直方体形状に形成されたいわゆる角型の電池ケース本体２１と、この電池ケース本体２１の上部にて開口形成された開口部２１Ａと、その開口部２１Ａを塞ぐ蓋体２２とを備える。詳しくは、電池ケース本体２１の開口部２１Ａに蓋体２２が嵌め込まれ、蓋体２２の外縁と開口部２１Ａの周囲の電池ケース本体２１との合わせ目２５をレーザ溶接することにより蓋体２２が電池ケース本体２１に固定され、電池ケース２０内部を密閉する。
【００１８】
電池ケース２０の材質は、従来の非水電解液二次電池で使用されるものと同じであればよく、特に制限はない。軽量で熱伝導性の良い金属材料を主体に構成された電池ケース２０が好ましく、このような金属製材料としてアルミニウム、ステンレス鋼、ニッケルめっき鋼等が例示される。本実施形態に用いられる電池ケース２０（具体的には電池ケース本体２１および蓋体２２）はアルミニウムもしくはアルミニウムを主体とする合金によって構成されている。
【００１９】
蓋体２２の外形は、開口部２１Ａの形状（電池ケース本体２１の開口形状）に適合する略長方形状である。蓋体２２の中央部には、電池ケース２０の内圧が上昇した場合に該ケースの内外を連通させて内圧を開放するためのガス排出弁２７が設けられている。ガス排出弁２７の隣には、電池製造時に電解液を注入するための注入口２８が設けられている。注入口２８には注液栓２９が被せられ、溶接により固定されている。このことにより、注入口２８の封止（密閉）が行われている。
【００２０】
捲回電極体３０は、電池ケース本体２１に、その捲回軸が蓋体２２とほぼ並行になるように収容されている。捲回電極体３０は、通常のリチウムイオン二次電池の捲回電極体と同様、シート状の正極（正極シート）３２および負極（負極シート）３４間にシート状のセパレータ（セパレータシート）３６を介在させつつ積層して長手方向に捲回し、拉げさせることによって作製され得る。
【００２１】
捲回電極体３０を構成する材料および部材自体は、従来のリチウムイオン二次電池に備えられる電極体と同様でよく、特に制限はない。本実施形態の捲回電極体３０は、長尺状の正極集電体（例えばアルミニウム箔）上に正極活物質層を有する正極シート３２と、長尺状の負極集電体（例えば銅箔）上に負極活物質層を有する負極シート３４と、セパレータシート３６とを含む。
【００２２】
正極活物質としては、一般的なリチウムイオン二次電池の正極に用いられる層状構造の酸化物系活物質、スピネル構造の酸化物系活物質等を好ましく用いることができる。かかる活物質の代表例として、リチウムコバルト系酸化物、リチウムニッケル系酸化物、リチウムマンガン系酸化物等のリチウム遷移金属酸化物が挙げられる。負極活物質としては、黒鉛（グラファイト）、難黒鉛化炭素（ハードカーボン）、易黒鉛化炭素（ソフトカーボン）等の炭素材料が挙げられる。
セパレータシート３６としては、例えばポリエチレン（ＰＥ）、ポリプロピレン（ＰＰ）、ポリエステル、セルロース、ポリアミド等の樹脂からなる多孔質シート、不織布等を用いることができる。
【００２３】
非水電解液は、電池ケース２０内に充填されており、正極シート３２と負極シート３４との間に介在している。当該非水電解液は、適当な非水系溶媒に支持塩を含有するものであり、リチウムイオン二次電池用途のものとして従来公知の非水電解液を特に制限なく採用することができる。例えば、非水系溶媒として、エチレンカーボネート（ＥＣ）、ジエチルカーボネート（ＤＥＣ）、ジメチルカーボネート（ＤＭＣ）、エチルメチルカーボネート（ＥＭＣ）等を用いることができる。また、支持塩としては、例えば、ＬｉＰＦ６等のリチウム塩を好適に用いることができる。
【００２４】
正極シート３２には正極集電端子４０が、負極シート３４には負極集電端子８０がそれぞれ溶接され、電気的に接続されている。これらの集電端子４０，８０は、蓋体２２の長手方向の一方の端部近傍および他方の端部近傍にそれぞれ設けられた正極用および負極用の端子引出孔（挿通孔）２４２，２４４をそれぞれ貫通して、電池ケース２０の内部から外部に引き出されている。正極集電端子４０は、図１および図２に示すように、主として電池ケース２０の内側に位置する正極内部端子４２０と、主として電池ケース２０の外側に位置する正極外部端子４６０とが電気的に接続された構成を有する。負極集電端子８０もまた、正極側と概ね同形状に形成された負極内部端子８２０と負極外部端子８６０とが電気的に接続された構成を有する。
以下、本実施形態に係る端子構造を主として正極側で詳細に説明し、ほぼ同形状の端子構造を備える負極側については、説明を簡略化ないしは省略することとする。
【００２５】
図１に示すように、正極内部端子４２０は、その下端４２２Ａが正極シート３２に、例えば超音波溶接によって接合され、電気的に接続されている。図２に示すように、正極内部端子４２０は、下端４２２Ａから蓋体２２に向かって延びる板状（帯状）の第一リード部４２２と、第一リード部４２２の上端に続いて形成され該上端から略直角に（図２では図の奥側から手前に）曲がって蓋体２２の内面（電池ケースの内側の面をいう。以下同じ。）と略平行に広がる平板状の第二リード部４２４と、第二リード部４２４の板面中央部から電池の外方向に略垂直に延びる突出部４２６とを備える。
突出部４２６はリベット部として構成されており、端子引出孔２４２および正極外部端子４６０の挿通孔（リベット孔）４６２Ａに上記リベット部を貫通させ、図１のようにかしめることにより、正極内部端子４２０と正極外部端子４６０とが接続（締結）されている。正極内部端子４２０および正極外部端子４６０の構成材料としては導電性のよい金属材料が好ましく、典型的にはアルミニウムが用いられる。
また、第二リード部４２４の上面は、ガスケット５００と密接し、突出部４２６は、ガスケット５００の挿通孔５１２、５２２に挿通されるが、このことは後述する。
【００２６】
図２に示すように、正極外部端子４６０は、上記正極内部端子４２０の突出部４２６を挿通可能な挿通孔４６２Ａを有する第一接続部４６２と、第一接続部４６２から蓋体２２の長手方向中央側に続き、電池ケース２０の外方に階段状に持ち上がって形成された第二接続部（外側端部）４６４とを有する。図２に示すように、第二接続部４６４には、外部接続用の接続端子（端子ボルト６７０）の軸部６７４を挿通可能なボルト挿通孔４６４Ａが形成されている。ボルト挿通孔４６４Ａに端子ボルト６７０の軸部６７４を下から上に通し、かかる軸部６７４に固定用ナット（図示省略）を締め付けることにより、正極外部端子４６０に端子ボルト６７０を連結（固定）することができる。
【００２７】
また、本実施形態においては、上記した正極内部端子４２０、正極外部端子４６０、端子ボルト６７０が、蓋体２２と通電することを防止するために、蓋体２２の外面側にインシュレータ６０が配置されている。
かかるインシュレータ６０は、蓋体２２の上面（表面）の端子引出孔２４２近傍と、正極外部端子４６０の第一接続部４６２との間に挟み込まれる取付部６２０と、正極外部端子４６０の第二接続部４６４と蓋体２２との間に挟み込まれる延長部６４０とを有する。取付部６２０は、蓋体２２の外面に沿って広がる皿部を有する。この皿部の窪みに合わせて正極外部端子４６０の第一接続部４６２が配置されている。
延長部６４０には、端子ボルト６７０の頭部６７２を受け入れ可能なボルト受け穴６４２が形成されている。端子ボルト６７０の頭部６７２は、軸部６７４に垂直な断面における形状が、インシュレータ６０のボルト受け穴６４２よりも一回り小さな長方形状となるように形成されている。端子ボルト６７０は、頭部６７２がボルト受け穴６４２に挿入されることで回転が制限され（共回りが阻止され）、かつ軸部６７４が正極外部端子４６０のボルト挿通孔４６４Ａを通して突出するように配置（装着）されている。
【００２８】
また、インシュレータ６０の取付部６２０には、正極内部端子４２０の突出部４２６を挿通させる貫通孔６２２が設けられている。そして、図３に示すように、かかるインシュレータ６０の下面の貫通孔６２２の周囲には、円筒状の凸部６２４が設けられている。かかる凸部６２４は、蓋体２２の端子引出孔２４２に挿入されており、端子引出孔２４２の内部において蓋体２２と正極内部端子４２０とが通電することを防止している。
【００２９】
ガスケット５００は、電池ケース２０の内部において蓋体２２と正極集電端子４０（正極内部端子４２０の第二リード部４２４）との間に挟持される部材であり、蓋体２２と正極集電端子４０との間を封止している。図２および図３に示すように、本実施形態に係るガスケット５００は、第１ガスケット５１０と第２ガスケット５２０の２つのガスケットを備えている。
【００３０】
第１ガスケット５１０は、熱によって膨張収縮する合成樹脂製であり、中心に正極集電端子４０の突出部４２６を挿通させるための挿通孔５１２が設けられている。かかる挿通孔５１２は、インシュレータ６０に設けられた円筒状の凸部６２４の外径と略同等の径を有しており、当該凸部６２４の外周面と挿通孔５１２の側壁とが密接している。
また、図３に示すように、第１ガスケット５１０の一方の幅広面（上面）は、蓋体２２の内面に密接するように平坦に形成されている。一方、第１ガスケット５１０の他方の幅広面（下面）には、挿通孔５１２の径方向外方に向かうに従って、当該第１ガスケット５１０の厚みＬ４が薄くなるように傾斜する傾斜面が形成されている。
第１ガスケット５１０の構成材料には、後述する第２ガスケット５２０の構成材料と比較して、相対的に水分およびガス（ＣＯ２ガスなど）の透過性が低い樹脂材料が用いられている。具体的な一例として、疎水性のポリオレフィン系樹脂（例えば、ポリプロピレン（ＰＰ）、ポリエチレン（ＰＥ））、フッ素系樹脂（例えば、パーフルオロアルコキシアルカン（ＰＦＡ）、ポリテトラフルオロエチレン（ＰＴＦＥ））等が挙げられる。
【００３１】
一方、第２ガスケット５２０は、上記した第１ガスケット５１０を構成する合成樹脂よりも高い弾性を有する弾性樹脂によって構成されている。かかる第２ガスケット５２０の中心には、正極集電端子４０の突出部４２６を挿通させるための挿通孔５２２が設けられている。本実施形態においては、かかる第２ガスケット５２０の挿通孔５２２が、第１ガスケット５１０の挿通孔５１２よりも大きな径を有している。
そして、第２ガスケット５２０は、第１ガスケット５１０と正極集電端子４０（正極内部端子４２０の第二リード部４２４）との間に配置されている。具体的には、第２ガスケット５２０の一方の幅広面（上面）には、第１ガスケット５１０の下面の傾斜に対応した傾斜面が形成されており、当該第１ガスケット５１０の下面に密接している。また、第２ガスケット５２０の他方の幅広面（下面）には、正極内部端子４２０の第二リード部４２４の上面の傾斜に対応した傾斜面が形成されており、当該第二リード部４２４に密接している。
【００３２】
第２ガスケット５２０の構成材料には、第１ガスケット５１０と比較して相対的に水分およびガス（ＣＯ２ガスなど）の透過性が高い弾性樹脂が用いられている。かかる弾性樹脂の具体的な一例として、エチレン・プロピレンゴム、ブチルゴムなどが挙げられる。なお、第２ガスケット５２０に用いられる弾性樹脂のガス透過係数は、例えば、１００〜１５００（単位：１×１０−１０ｃｍ３（ＳＴＰ）・ｃｍ／（ｃｍ２・ｓ・ｃｍＨＧ））であることが好ましい。これによって、電池ケース２０内部で生じたガスをより好適に外部へ排出することができる。
【００３３】
そして、本実施形態においては、蓋体２２の内面の端子引出孔２４２の近傍に第１ガスケット５１０と第２ガスケット５２０を配置した後、蓋体２２の外面の端子引出孔２４２近傍にインシュレータ６０を配置し、さらに上に正極外部端子４６０を配置する。そして、蓋体２２の端子引出孔２４２に、正極内部端子４２０の突出部４２６を挿入し、蓋体２２の内面と第二リード部４２４との間に、上記した第１ガスケット５１０と第２ガスケット５２０を挟み込ませる。そして、正極内部端子４２０の突出部４２６の上端と、第二リード部４２４の下面を挟み込むように加圧することによって、かしめ加工が行われる。
かかるかしめ加工により、突出部４２６の上端が円板状に変形して正極集電端子４０を蓋体２２に固定するとともに、蓋体２２と正極集電端子４０の第二リード部４２４との間でガスケット５００が圧縮されることにより、端子引出孔２４２の周囲が封止（シール）される。
【００３４】
このとき、本実施形態においては、第２ガスケット５２０の挿通孔５２２の径が、第１ガスケット５１０の挿通孔５１２の径よりも大きいため、第１ガスケット５１０の下面と正極集電端子４０（第二リード部４２４の上面）との間に、第２ガスケット５２０の挿通孔５２２の側壁５２４に隣接した空隙Ａが形成される。
かかる構造を有した本実施形態に係る非水電解液二次電池１０では、第２ガスケット５２０と、上記した空隙Ａと、インシュレータ６０とによって構成されるガス排出経路Ｂが形成される。このガス排出経路Ｂには、ガス透過性の高い弾性樹脂によって形成された第２ガスケット５２０と空隙Ａとが配置されているため、電池ケース２０内部で発生したガスを外部へ好適に排出することができる。このため、本実施形態によれば、電池ケース２０の内圧上昇による電流遮断機構およびガス排出弁の誤作動を防止することができる。
【００３５】
一方、上記したガス排出経路Ｂはガス透過性が高いため、高温高湿環境に電池が晒された場合に、ガス排出経路Ｂを通って電池ケース２０の外部から内部に水分が浸入し易くなる虞がある。しかし、本実施形態に係る非水電解液二次電池１０では、高温高湿環境に電池が晒された場合、図４に示すように、熱によって第１ガスケット５１０が膨張し、弾性樹脂製の第２ガスケット５２０が圧縮されて空隙Ａが小さくなる。このように、第１ガスケット５１０によってガス排出経路Ｂが遮断されるため、高温高湿環境に電池が晒された場合であっても、電池ケース２０内部に水分が浸入することを防止できる。
なお、高温高湿環境における空隙Ａの縦方向の寸法Ｌ５は、下記の式（１）に基づいて規定される。下記（１）中のＬ４は第１ガスケットの厚み、Ｋは第１ガスケットの熱膨張係数、Ｔ１は高温環境の電池温度、Ｔ２は常温環境の電池温度である。このとき、常温環境において十分に大きな空隙Ａが形成され、かつ、高温高湿環境において当該空隙Ａが適切に小さくなるように、下記の式（１）に基づいて、各部材の寸法や第１ガスケット５１０の材料を設定すると好ましい。
Ｌ５≧Ｌ４×Ｋ×（Ｔ１−Ｔ２）        （１）
【００３６】
なお、本実施形態のように、第１ガスケット５１０の下面に傾斜面を設け、当該傾斜面に対応するように第２ガスケット５２０の上面を傾斜させた場合、第１ガスケット５１０の熱膨張によって第２ガスケット５２０が圧縮された際に、第１ガスケット５１０の下面と第二リード部４２４の上面とが接触して空隙Ａを完全に塞ぐことができる。これによって、高温高湿環境における水分の浸入をより確実に防止することができる。
【００３７】
また、一般に、電池が高温環境に晒されると、非水電解液の構成成分（典型的には非水系溶媒）が気化して電池ケース２０外に漏出する虞がある。本実施形態では、上記したように、電池が高温環境に晒された場合、膨張した第１ガスケット５１０によってガス排出経路Ｂを遮断することができるため、このような高温環境における非水電解液の漏出も好適に防止することができる。
【００３８】
なお、本実施形態に係る非水電解液二次電池における各部材の寸法は、種々の条件を考慮して適宜設定することが好ましい。例えば、突出部４２６のかしめ部分の寸法Ｌ１と、挿通孔５２２の径方向における空隙Ａの寸法Ｌ２と、径方向における第２ガスケット５２０の寸法Ｌ３との関係は、下記の式（２）を満たしていると好ましい。これによって、第１ガスケット５１０と第２ガスケット５２０の各々に、かしめ加工の圧力が適切に加えられるため、好適な縦寸法Ｌ５の空隙Ａを形成することができ、より好適に電池ケース２０内部のガスを排出できるようになる。
Ｌ１≧Ｌ２＋Ｌ３              （２）
【００３９】
［試験例］
以下、本発明に関する試験例を説明するが、本発明をかかる具体例に示すものに限定することを意図したものではない。
【００４０】
本試験例では、ガスケットの構造が異なる３種類の非水電解液二次電池を作製し、各々の電池について、電池ケース内部への水分の浸入量と、電池ケース外部への二酸化炭素ガスの排出量とを測定した。
【００４１】
１．各試験例
（１）試験例１
試験例１では、図１に示すようなリチウムイオン二次電池１０を作製した。そして、図３に示すように、第１ガスケット５１０と第２ガスケット５２０とを蓋体２２と第二リード部４２４との間に配置した後にかしめ加工を行うことによって、第１ガスケット５１０と第二リード部４２４との間に、第２ガスケット５２０に隣接する空隙Ａが形成された正極集電端子４０を構築した。なお、第１ガスケット５１０の材料には、熱膨張係数が０．０００１５［Ｋ−１］のポリエチレン（ＰＥ）を使用し、第２ガスケット５２０の材料には、エチレンプロピレンジエンゴム（ＥＰＤＭ）を使用した。また、上記のかしめ加工の圧力は、常温環境（２０℃）における第１ガスケット５１０の圧縮率が５％、第２ガスケット５２０の圧縮率が１５％になるように設定した。
【００４２】
なお、試験例１の電池において、突出部のかしめ部分の寸法Ｌ１は６ｍｍ、径方向における空隙の寸法Ｌ２は２ｍｍ、径方向における第２ガスケットの寸法Ｌ３は４ｍｍ、第１ガスケットの厚みＬ４は１ｍｍ、２０℃における空隙の縦方向の寸法Ｌ５は０．００３ｍｍに設定した。
【００４３】
（２）試験例２
試験例２では、図７に示すように、ポリエチレン（ＰＥ）製の単一のガスケット７００を用い、かかるガスケット７００の常温環境における圧縮率が１５％になるようにかしめ加工の圧力を設定したことを除いて、試験例１と同じ条件でリチウムイオン二次電池を作製した。
【００４４】
（３）試験例３
試験例３では、ガスケット７００の素材をエチレンプロピレンジエンゴム（ＥＰＤＭ）製に変更したことを除いて、試験例２と同じ条件でリチウムイオン二次電池を作製した。
【００４５】
２．評価試験
本試験では、各々の試験例で３個ずつリチウムイオン二次電池を作製し、作製した電池をそれぞれ２０℃、４５℃、６０℃に設定された密閉容器（相対湿度（ＲＨ）９８％）内に１ヶ月保管した。そして、電池ケース内へ浸入した水分量をカールフィッシャー水分測定装置によって測定すると共に、電池ケース外へ排出されたガス量をガスクロマトグラフィー（検出器：ＴＣＤ、ＢＩＤ）によって測定した。水分浸入量の測定結果を図５に示し、ガス排出量の測定結果を図６に示す。
【００４６】
図５に示すように、試験例１〜試験例３のうち、ＥＰＤＭ製のガスケットを用いた試験例３は、常温環境（２０℃）における水分浸入量が他の試験例と同程度であったが、電池温度が上昇するに従って水分浸入量が大幅に増加した。このことから、ＥＰＤＭのようなガス透過性が高い樹脂材料をガスケットに用いた場合、電池ケース内へ水分が浸入し易く、特に４５℃を超える高温高湿環境下では水分浸入量が顕著に増加することが分かった。
一方、試験例１では、第２ガスケットがＥＰＤＭによって構成されているにも関わらず、電池温度が上昇しても電池ケース内への水分浸入量が増加し難く、ＰＥ製のガスケットを使用している試験例２と同程度に水分浸入量が抑制されていた。これは、試験例１の電池は、高温環境に晒された際に、図４に示すように第１ガスケットが膨張して空隙を塞ぎ、ガス排出経路上にＰＥ製の第１ガスケットが配置されるためと解される。
【００４７】
また、図６に示すように、試験例１の電池は、常温環境（２０℃）におけるガス排出量が最も高くなっていた。このことから、試験例１の電池のように、ガス透過性の高い第２ガスケットと空隙とを有するガス排出経路を形成することによって、当該ガス排出経路を介して、電池ケース内のガスを外部に好適に排出し、電池ケースの内圧上昇による電流遮断機構およびガス排出弁の誤作動を防止できることが分かった。
なお、試験例１の電池は、高温環境に晒されるとガス排出量が低下する傾向があった。これは、第１ガスケットが膨張によってガス排出経路が遮断されたためと解される。しかし、この場合でも、ＰＥ製のガスケットを使用した試験例２の電池よりも高いガス排出機能を有しているため、十分に電池ケースの内圧上昇を抑制できると解される。
【００４８】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００４９】
１０              リチウムイオン二次電池（非水電解液二次電池）
２０              電池ケース
２１              電池ケース本体
２１Ａ            開口部
２２              蓋体
２５              合わせ目
２７              ガス排出弁
２８              注入口
２９              注液栓
３０              捲回電極体
３２              正極シート
３４              負極シート
３６              セパレータシート
４０              正極集電端子（集電端子）
６０              インシュレータ
８０              負極集電端子
２４２            端子引出孔
４２０            正極内部端子
４２２            第一リード部
４２２Ａ          第一リード部の下端
４２４            第二リード部
４２６            突出部
４６０            正極外部端子
４６２            第一接続部
４６２Ａ          正極外部端子の挿通孔
４６４            第二接続部
４６４Ａ          ボルト挿通孔
５００、７００    ガスケット
５１０            第１ガスケット
５１２            第１ガスケットの挿通孔
５２０            第２ガスケット
５２２            第２ガスケットの挿通孔
５２４            第２ガスケットの挿通孔の側壁
６２０            取付部
６２２            貫通孔
６２４            凸部
６４０            延長部
６４２            ボルト受け穴
６７０            端子ボルト（接続端子）
６７２            端子ボルトの頭部
６７４            軸部
８２０            負極内部端子
８６０            負極外部端子
Ａ                空隙
Ｂ                ガス排出経路
Ｌ１              突出部のかしめ部分の寸法
Ｌ２              径方向における空隙の寸法
Ｌ３              径方向における第２ガスケットの寸法
Ｌ４              第１ガスケットの厚み
Ｌ５              空隙の縦方向の寸法
【図１】
2018181544.tif 000003
【図２】
2018181544.tif 000004
【図３】
2018181544.tif 000005
【図４】
2018181544.tif 000006
【図５】
2018181544.tif 000007
【図６】
2018181544.tif 000008
【図７】
2018181544.tif 000009